(57)【特許請求の範囲】
【請求項１】
上方に集水口が形成され、側方に排水口が形成されるとともに該排水口の前面に開閉弁が配されてなる排水箱部を備え、前記集水口より集水された下水道水を前記排水箱部の前記排水口より排出する下水道用臭気防止装置において、
集水口の形成された薄板状の天板部と；平板状の有底の箱状体をなし、該天板部の下部に該集水口に臨んで固設されるとともに底部に第１の開口を有する集水箱部と；からなる第１箱体部と、
前記第１開口より小さな第２の開口を有し、かつ該第１の開口に対して前後方向及び又は幅方向への移動代を存して前記第１箱体部の底部上に載置されるフランジ板と；前記フランジ板の下部に前記第２の開口を囲んで固設される排水箱部と；からなる第２箱体部と、からなり、
前記第１箱体部と前記第２箱体部とは、該第２箱体部の前記フランジ板を介してフランジ固定手段により固定される、
ことを特徴とする下水道用臭気防止装置。
【請求項２】
フランジ固定手段は、第２箱体部のフランジ板を含めて第１箱体部の底部上に接着敷設される固定テープである請求項１に記載の下水道用臭気防止装置。
【請求項３】
フランジ固定手段は、第１箱体部の底部と第２箱体部のフランジ板とにわたり、移動調整用の溝を介して挿通されるボルト・ナットである請求項１に記載の下水道用臭気防止装置。
【発明の詳細な説明】
【技術分野】
【０００１】
この発明は、雨水ます、汚水ます、更にはマンホール等の下水道用管路付属設備に使用され、下水本管からの臭気の逸出を防止する下水道用臭気防止装置に関し、更に詳しくは、これらの下水道用管路付属設備の蓋部分に用いられ、簡便に使用することのできる下水道用臭気防止装置に関する。
【背景技術】
【０００２】
下水道管路用枡に適用される防臭具として、蓋部に設置されるものが公知であり、本出願人もこの種の防臭具を、実公昭６１−２３１０５号公報（文献１）、実公昭６１−４１８２３号公報（文献２）、特開平１１−１３１２１号公報（文献３）、特開平１１−５０５１９号公報（文献４）をもって提案したところである。
すなわち、既に提案した文献１の下水道用臭気防止装置においては、
「集水孔を有する下水道用蓋において、前記集水孔に対応する前記下水道用蓋の下面に、上部が開放され、底部が流水の流下する傾斜面に形成されるとともに、前記傾斜面の向う側面に側方開口部を有し、前記側方開口部の端面に弁座が形成された有底箱状の集水受箱が取り付けられ、前記集水箱の側方開口部には、前記弁座を自重により常時閉弁し、前記集水受箱に流入する流水の水圧により開弁する弾性弁体が取り付けられてなる」
構造を採るものである。
これにより、下水本管内に発生する臭気は本装置により外部への逸出が阻止されるとともに、雨水に対しては弾性弁体が開弁し、排水機能を円滑に果たすものである。
しかして、これらの下水道用臭気防止装置においては、雨水ます等の管路付属設備、更には蓋部の状況によっては、集水受箱が当該付属設備との間に余裕がなく、設置が困難となる事態が生じる。すなわち、この場合において、無理な押込み設置操作により、当該臭気防止装置、特には集水受箱の破損等の不具合な事態が惹起される起因となっている。
更にまた、これらの臭気防止装置においては、集水受箱（集水筒部）の側方開口部（排水口）をゴム素材の弾性弁体をもって開閉するものであり、長年の下水道雰囲気内にあって次第に劣化が進み、集水受箱本体の更なる再使用のため、該弾性弁体の取替えがなされる。
該弾性弁体の取替えは、該弁体の固定が嵌め合い（文献１，２）又は固定ピン（文献３，４）での強嵌合状態でなされており、該弁体の取外し、ひいては取付けも作業手間を要し困難を来すものである。そして、該弁体の強固定はまた、弁体の開閉動作を緩慢なものとし、作動性が悪く、改善が期待されている。
【先行技術文献】
【特許文献】
【０００３】
【特許文献１】実公昭６１−２３１０５号公報
【特許文献２】実公昭６１−４１８２３号公報
【特許文献３】特開平１１−１３１２１号公報
【特許文献４】特開平１１−５０５１９号公報
【発明の開示】
【発明が解決しようとする課題】
【０００４】
本発明は、この種の下水道用臭気防止装置において、下水道用付属設備の設置の状況の如何にかかわらず、容易に設置でき、かつ所期の機能を発揮できる下水道用臭気防止装置を提供することを第１の目的とする。
本発明はこのため、装置全体を集水機能を担う第１箱体部と排水機能を担う第２箱体部とに分離するとともに、これらを移動調整可能に組み合せて、水密を保って固定するという新規な着想を採ることにより、この目的を達成したものである。
本発明は併せて、開閉弁の開閉機能の改善並びに取替え作業の容易化を図ることを第２の目的とする。
本発明はこのため、弁体を帯板と該帯板に連動する弁本体とに分離し、該帯板を取付け・取外し用に供するという新規な着想を採ることにより、この目的を達成したものである。
【課題を解決するための手段】
【０００５】
本発明の下水道用臭気防止装置は、具体的には次の構成を採る。
本発明は、上方に集水口が形成され、側方に排水口が形成されるとともに該排水口の前面に開閉弁が配されてなる排水箱部を備え、前記集水口より集水された下水道水を前記排水箱部の前記排水口より排出する下水道用臭気防止装置において、
集水口の形成された薄板状の天板部と；平板状の有底の箱状体をなし、該天板部の下部に該集水口に臨んで固設されるとともに底部に第１の開口を有する集水箱部と；からなる第１箱体部と、
前記第１開口より小さな第２の開口を有し、かつ該第１の開口に対して前後方向及び又は幅方向への移動代を存して前記第１箱体部の底部上に載置されるフランジ板と；前記フランジ板の下部に前記第２の開口を囲んで固設される排水箱部と；からなる第２箱体部と、からなり、
前記第１箱体部と前記第２箱体部とは、該第２箱体部の前記フランジ板を介してフランジ固定手段により固定される、
ことを特徴とする。
上記構成において、
１）フランジ固定手段は、第２箱体部のフランジ板を含めて第１箱体部の底部上に接着敷設される固定テープであること、
２）フランジ固定手段は、第１箱体部の底部と第２箱体部のフランジ板とにわたり、移動調整用の溝を介して挿通されるボルト・ナットであること、
３）固定テープは幅広状をなし、第１箱体部の底部の全面に布設されること、
４）固定テープは細帯状をなし、第１箱体部の底部においてフランジ板と底部とに跨がって布設されること、
５）第１箱体部の天板部は前部が高く、後部が低く傾斜されてなること、
６）第１箱体部の天板部は実質的に同一水平面を保持すること、
は適宜採択される技術的事項である。
【０００６】
（作用）
本臭気防止装置の設置は、天板部を介して集水孔を有する雨水ます又は汚水ますの蓋部の下方に配して設置する。
本臭気防止装置の集水口は蓋部の集水孔に対応する位置に配される。
下水道から生じる臭気は、開閉弁の閉弁により阻止される。降雨による流入水は排水箱部の内方から排水口に向けて流れ、開閉弁を開く。
本臭気防止装置の設置操作において、雨水ますの設置の状況に不具合（例えば、雨水ます本体の突起）があるとしても、本臭気防止装置の全体が雨水ますの本体の突起との衝接が回避され、また、第２箱体部の前後方向及び又は幅方向への移動により、雨水ますの本体の開口の中央に位置でき、降雨時の集水及び排水が阻害されることなく、円滑になされる。この設置操作において、第２箱体部の位置決めは容易になされ、かつ、第１箱体部の底部の水密も保持され、加えて、無理な押込み操作を回避できることから本臭気防止装置のどの部分も雨水ますから破損を受けることも勿論ない。
（発明の効果）
下水道用管路付属設備の雨水ます等の設置の状況に不具合がある場合、従来の臭気防止装置によっては無理な押込み等の設置操作が強いられ、当該臭気防止装置に破損を与えることがしばしばである。
これに対し、本発明の下水道用臭気防止装置によれば、第１箱体部に対し第２箱体部を前後方向及び又は幅方向へ移動することにより、第１箱体部と第２箱体部との位置調整が容易になされ、雨水ますの設置の状況の如何に係わらず、雨水ますとの衝接が回避され、無理な押込み操作を回避できることから本臭気防止装置のどの部分も雨水ますから破損を受けることもなく、かつは降雨時の集水及び排水の機能が阻害されることなく、円滑になされる。
更には、設置操作において、第２箱体部の位置決めは容易になされ、その固定はフランジ固定手段によって簡単になされ、施工効率が向上する。
【０００７】
本発明の他の態様は、上方に集水口が形成され、側方に排水口が形成されるとともに該排水口の前面に開閉弁が配されてなる排水箱部を備え、前記集水口より集水された下水道水を前記排水箱部の前記排水口より排出する下水道用臭気防止装置において、
前記集水筒部の排水口回りには同一平面を形成する弁座を有するとともに、前記弁座部は鉛直もしくは下方に向けて外方に傾斜し、前記排水口の上部の集水筒部には複数の第１取付け孔が水平に相並んで開設され、
前記集水筒部の排水口の上部において、該第１取付け孔に対応する第２取付け孔を有するとともに第１ブラケットを有する帯板が、該第１取付け孔と該第２取付け孔とに介装される固定具をもって固定され、
かつ、前記帯板の第１ブラケットに対し、該第１ブラケットに枢着される第２ブラケットを有し、該第２ブラケットを介して前記弁座を覆う平板弁部を有する非変形性の開閉弁本体が取り付けられてなる、
ことを特徴とする。
上記構成において、帯板と該帯板に連動する開閉主弁体との組付け体は「取付け式開閉弁」を構成する。
上記構成において、
１）帯板は少なくとも集水筒部の幅に等しく、第１ブラケットは該帯板の両端に配されること、
２）第１ブラケットは帯板の中間位置に対称を保って配されること、
３）固定具はボルト・ナットであること、
４）固定具はブラインドリベットであること、
は適宜採択される技術的事項である。
【０００８】
（作用）
本臭気防止装置の設置は、集水筒部を天板部を介してまたは介さずに集水孔を有する雨水ます又は汚水ますの蓋部の下方に配して設置する。
本臭気防止装置の集水口は蓋部の集水孔に対応する位置に配される。
下水道から生じる臭気は、取付け式の開閉弁の閉弁により阻止される。降雨による流入水は集水筒部の内方から排水口に向けて流れ、取付け式開閉弁を開く。
本装置の組立てにおいて、取付け式の開閉弁の集水筒部への装着操作は、集水筒部の第１取付け孔と帯板の第２取付け孔とを対応させ、これらの取付け孔に固定具を装着することによってなされる。
取外しにおいては、固定具の取外しによって簡単になされる。
本発明の下水道用臭気防止装置によれば、取付け式開閉弁の開閉弁本体の非変形性により従来のゴム弾性弁のようなめくれ、反りが生じず、長期間良好な防臭作用が持続できる。また、取付け式開閉弁は枢軸回りの開閉作用を受け、開閉が円滑になされる。
更に、本防臭装置の組立てにおいて、本取付け式開閉弁の集水筒部への取付けは、帯板を介して固定具を装着することにより容易になされ、効率的な作業がなされる。
また、旧来のゴム弾性弁を有する臭気防止装置の取付け孔をそのまま利用するものであり、旧来の臭気防止装置の再使用が実現される。
【発明の効果】
【０００９】
下水道用管路付属設備の雨水ます等の設置の状況に不具合がある場合、従来の臭気防止装置によっては無理な押込み等の設置操作が強いられ、当該臭気防止装置に破損を与えることがしばしばである。
これに対し、本発明の下水道用臭気防止装置によれば、第１箱体部に対し第２箱体部を前後方向及び又は幅方向へ移動することにより、第１箱体部と第２箱体部との位置調整が容易になされ、雨水ますの設置の状況の如何に係わらず、雨水ますとの衝接が回避され、無理な押込み操作を回避できることから本臭気防止装置のどの部分も雨水ますから破損を受けることもなく、かつは降雨時の集水及び排水の機能が阻害されることなく、円滑になされる。
更には、設置操作において、第２箱体部の位置決めは容易になされ、その固定はフランジ固定手段によって簡単になされ、施工効率が向上する。
【発明を実施するための最良の形態】
【００１０】
本発明の下水道用臭気防止装置の実施の形態を図面に基づいて説明する。
（第１実施形態）
図１〜図９は本発明の下水道用臭気防止装置の一実施形態（第１実施形態）を示す。すなわち、図１〜図３は本下水道用臭気防止装置Ｓの全体の各側面構成を示し、図４〜図９は本下水道用臭気防止装置Ｓの各部の構成を示す。
なお、本臭気防止装置Ｓにおいて、流水の吐出される排水口すなわち取付け式開閉弁の配される側を前部とし、本装置自体をもって左右とする。
【００１１】
図１〜図３に示すとおり、この下水道用臭気防止装置（以下「臭気防止装置」という）Ｓは、第１箱体部Ｓａと第２箱体部Ｓｂとからなる。
該第１箱体部Ｓａは、集水口１ａの形成された天板部１と、該天板部１の下面に該集水口１ａを囲んで固設されるとともに底部に第１の開口Ｈを有する集水箱部２と、からなる。
また、該第２箱体部Ｓｂは、前記第１の開口Ｈより小さな第２の開口Ｉを有し、かつ移動代を存して前記集水箱部２の底部に載置されるフランジ板３と、該フランジ板３の下面に該第２の開口Ｉを囲んで固設され、側方に排水口Ｊが形成され、該排水口Ｊの前面に取付け式開閉弁４が配されてなる排水箱部５と、からなる。
第１箱体部Ｓａと第２箱体部Ｓｂとは第１箱体部Ｓａの底部において、第２箱体部Ｓｂのフランジ板３を含めて固定テープ７が接着固定される。なお、該固定テープ７は図１では省略され、図８、図９に示される。
【００１２】
以下、第１箱体部Ｓａ及び第２箱体部Ｓｂを構成する部材の詳細について説明する。
第１箱体部Ｓａ（図１〜図３参照）
第１箱体部Ｓａは、天板部１と該天板部１の下部に一体に固設される集水箱部２とからなる。
【００１３】
天板部１（図１〜図３参照）
天板部１は、平板体をなすとともに、中央に方形の開口（集水口）１ａが開設されるとともに、側面よりみて折り曲げ成形されてなる。すなわち、該天板部１の前部より後部に向けて複数の屈曲部（ａ，ｂ，ｃ，ｄ）を介して前部を高く、中央が低く、後部はやや高くされる。これにより、雨水ますの本体の上縁部に形状に対応する。
なお、本実施形態では、該天板部１は折曲げ状となっているが、平面状であってもよい。
【００１４】
集水箱部２（図１〜図３参照）
集水箱部２は、側面部及び底面を有し上下に開口する箱空間をなし、天板部１の下部に固設される。該集水箱部２の上方への開口は天板部１の開口１ａに合致し、該側面部の上端面は天井部１の下面に固定される。
該集水箱部２の側面部は、側面板１０、前面板１１、後面板１２よりなり、その上縁は天板部１の折曲に対応して折曲げ形状とされ、前面板１１、後面板１２は傾斜される。集水箱部２の底板１３は前後長Ａを有する方形の平面状をなし、その中央部には第１の開口Ｈが形成される。
（第１の開口Ｈ）
第１の開口Ｈは、底板１３の中央に所定の前後長Ｂを採って開設される。該開口Ｈの幅は集水箱部２の底部すなわち底板１３の幅よりも若干小さく、左右に最小限の棚部を残している。該棚部の幅δ（図１参照）は集水箱部２の補剛性を与えるとともに、当該底板１３上に載置されるフランジ板３、及び固定テープ７に対する水密性を保障する。したがって、この点につき保障が確保されるならば、当該棚部は省略でき、開口Ｈの幅は底板１３に等しくされうる。
【００１５】
第２箱体部Ｓｂ（図１〜図７参照）
第２箱体部Ｓｂは、フランジ板３と前面に取付け用開閉弁４を備えてなる排水箱部５とからなる。
【００１６】
フランジ板３（図１、図４、図５参照）
フランジ板３は、方形の平板体をなすとともに、中央に第２の開口Ｉが開設されてなる。該フランジ板３の前後の長さＣは集水箱部２の底板１３の前後長Ａよりも短くされ、かつ、第１の開口Ｈの前後長Ｂよりも長くされている（Ａ＞Ｃ＞Ｂ）。長さＡと長さＣとの差が底板１３の「移動代」を与えるものであるが、長さＢにも関係する。また、その幅（左右の長さ）は底板１３の幅と実質的に等しい。
（第２の開口Ｉ）
第２の開口Ｉはフランジ板３の中央において方形状に開設される。該第２の開口Ｉは前記したとおり、第１の開口Ｈよりも開口面積が小さく、その前後長さＤは第１の開口Ｈの長さＢより小さい。該開口Ｉの最大の幅はフランジ板３の幅より所定の余長幅を確保して決められる。すなわち、該余長幅はフランジ板３ひいては排水箱部５の補剛性を与えるとともに、開口Ｈの棚部上への載置を保障するものである。したがって、該開口Ｉの最大幅は第１の開口Ｈの幅よりも小さい。
【００１７】
排水箱部５（図１〜図５参照）
排水箱部５は、側面部及び底面を有し上方に開口し、側方に排水口Ｊが形成されてなる箱空間をなし、フランジ板３の下部に固設される。該排水箱部５の上方への開口はフランジ板３の第２の開口Ｉに合致する。
該排水筒部５は、所定間隔をもって相対峙して配される右左の側面板１５、該側面板１５の前端に跨がって配される前面板１６、及び該側面板１５の底辺に跨がって配される底面板１７の組合わせよりなり、該前面板１６に排水口J が形成される。
もっと詳しくは、側面板１５は前縁が屈折部を有する直線形状をなし、後縁は曲面形状をなして下端は前縁に合致する。したがって、前面板１６は側面板１５の前端に合致して屈曲部を介して折れ曲げられることになる。また、底面板１７も側面板１５の後縁形状に対応して曲面状となる。
前面板１６において、排水口Ｊの周りに弁座１８が適宜形成されるとともに、また、後記する弁体４の帯板用の第１取付け孔１６ａも開設される。
以上に述べた第１箱体部Ｓａ、第２箱体部Ｓｂにより本装置Ｓの枠体（フレーム）が形成されるものであり、その素材は通常には金属板（特にはステンレス鋼、アルミ）を採用されるが、合成樹脂素材であってもよい。
【００１８】
取付け式開閉弁４（図２、図３、図５〜図７参照）
取付け式開閉弁４は、ブラケットを有する帯板２０と、該帯板２０の第１ブラケット２１に枢着される開閉弁本体２２とからなる。しかして、帯板２０は前面板１６の上部に固定具２３をもって固定され、開閉弁本体２２は帯板２０の第１ブラケット２１に枢着されて前面板１６の開口Ｊを開閉する。
該取付け式開閉弁４の素材は、非変形性・硬質性の要請から金属あるいは硬質合成樹脂が使用されるが、更に防錆性の観点からステンレス鋼が推奨される。
【００１９】
詳しくは、帯板２０は硬質の帯状体よりなり、両端に直角状に折り曲げられ前面に突出する第１ブラケット２１を有する。帯板２０には前面板１６の上部に開設された第１取付け孔１６ａに対応して同位相をもって第２取付け孔２０ａが開設される。取付け定位置において、取付け孔１６ａと取付け孔２０ａとは一致され、両孔にわたって固定具２３が装着される。第１ブラケット２１にはピン孔が開設される。
開閉弁本体２２は、弁座１８を覆う実質的に平板状をなす平板弁部２５と、該平板弁部２５の上端部において上方へ延設される第２ブラケット２６とからなる。平板弁部２５は、弁座１８を十分に覆う所定の長さと幅を有する方形状の平板部を主体とし、本実施形態では両側縁への折り曲げ部２５ａと下方縁での折り曲げ部２５ｂとを有する。
第２ブラケット２６は平板部２５の上端に連接し、一体に固定される。第２ブラケット２６の相互の間隔は帯板２０の両側の第１ブラケット２１よりも若干小さくされる。第２ブラケット２６には第１ブラケット２１に対応してピン孔が開設され、これらのピン孔にピン２７が枢着される。
【００２０】
取付け式開閉弁４はこの構成により帯板２０と開閉弁本体２２とが一体となり、開閉弁本体２２はピン２７を回動中心となって開閉動作をなす。
更に、取付け式開閉弁４はブラケット２１，２６を介しての枢着となり、開閉弁本体２２の回転中心が前方へ突出して偏心するので、開閉弁本体２２の開き動作が迅速なものとなる。
【００２１】
固定具２３（図２，図６参照）
固定具２３は、取付け式開閉弁４を排水箱部５の前面板１６の所定位置に取り付ける。本実施形態ではボルト、ナット態様を採り、該取付け式開閉弁４を前面板１６に対し、着脱可能とする。
すなわち、前面板１６の第１取付け孔１６ａと本取付け式開閉弁４の第２取付け孔２０ａとを一致させ、これらの孔にボルトを装着し、ナットを締め込んで取付け式開閉弁４の取付けをなす。ボルトは前面板１６の背面から装着され、そのねじ部を前面を突出させ、適宜ワッシャーを介装させ、ナットを螺合し、締め込んでなす。
この固定具２３での取付けにより、取付け式開閉弁４は所定の配設関係を採る。すなわち、該取付け式開閉弁４の平板部は弁座１８に均等に当接し、密閉性を保持する。また、側方折り曲げ部及び下方折り曲げ部は前面板１６の側方部及び下部に回り込み、密閉性を高める。
【００２２】
固定具２３はボルト・ナットに限定されるものではなく、他の固定手段を採ることができる。
すなわち、リベット、特にはブラインドリベット（ＪＩＳ  Ｂ  ０１４７１（２００４年）制定）を用いることはその一好適例である。該ブラインドリベットはリベットの打込み具（リベッター）の使用とともになされる。このリベッターの使用によれば取付け式開閉弁４の固定は迅速になされる。
【００２３】
固定テープ７（フランジ固定手段）（図８参照）
固定テープ７は、フランジ固定手段の１態様をなし、下面に接着面を有し、所定の幅と長さ（単位長さＬ）の薄い帯状体をなす。該固定テープ７の幅は集水箱部２の底板１３の幅に等しい。また、若干の可撓性を有する。本実施形態では、該固定テープ７は長尺の帯状体より所定の長さＬに切断されて得られる単位の固定テープ７Ａが使用される。該長尺の固定テープ７には適宜間隔を保ってフランジ板３の開口Ｉに対応する開口７ａが予め形成されるが、該開口７ａは後述するように後でその都度、すなわち現場で穿設されてもよい。
もっと詳しくは、該固定テープ７は断面構造が上層の薄い金属（金属箔）あるいは合成樹脂製の上層板３０と、下層の接着剤層３１とからなる。また、帯状体の内部に開口７ａが形成される。金属箔としてアルミ（０．１ｍｍ）が好適なものとして使用される。これにより、下層の接着剤層３１により第２箱体部Ｓｂのフランジ３を含めて第１箱体部Ｓａの底板１３上に固着され、また、上層板３０により水密を保つ。開口７ａはフランジ３の開口Ｉに対応し、集水箱部２に集められた排水は該開口７ａを通過する。単位固定テープ７Ａは長尺の帯状体７において、開口７ａを介して前後の長さを適宜に調整して切断部７ｂをもって平行に切断されてなる。
【００２４】
箱体部Ｓａ・Ｓｂ相互の関係（図９参照）
本実施形態において、第１箱体部Ｓａと第２箱体部Ｓｂとの位置調整が図られることを特徴とする。
図９はこの位置関係の一態様を示す。なお、図では部材断面の厚さが誇張して拡大されて示されている。
すなわち、第１箱体部Ｓａの集水箱部２の底板１３の開口Ｈを介して第２箱体部Ｓｂが嵌め込まれ、フランジ板３を介して底板１３上に支持される。底板１３の開口Ｈの前後長（Ｂ）は第２箱体部Ｓｂの排水箱部５の前後長，換言すれば開口Ｉの前後長（Ｄ）よりも長いものであるので、第２箱体部Ｓｂはフランジ板３とともに前後移動ができる。また、フランジ板３はその前後移動において「移動代」を存するので、第２箱体部Ｓｂのどの位置変位においても底板１３の開口Ｈに対して隙間を生じない。
【００２５】
取付け式開閉弁４の取付け・取外し操作
本取付け式開閉弁４の第２箱体部Ｓｂの排水箱部５への取付け操作は次の手順、要領をもってなされる。なお、本操作は工場・現場を問わない。
取付け
先ず固定具２３のボルトを前面板１６の第１取付け孔１６ａに差し通す。
取付け式開閉弁４を排水箱部５の前面に臨ませ、所定状態に保持し、その帯板２０の第２取付け孔２０ａをボルトのねじ杆部に差し込む。ナットを螺合し、締め込む。
これらの取付け孔１６ａ，２０ａ相互の対応位置関係が定まっているので、取付け式開閉弁４は固定具２３を介して所定の取付け状態に保持される。
取外し
固定具２３のナットを緩め、取付け式開閉弁４を取り外す。
【００２６】
本臭気防止装置Ｓの設置（図１０、図１１参照）
叙上の構成よりなる本臭気防止装置Ｓは雨水ます・汚水ますに対して、次の要領で設置される。
図１０はその設置要領を示し、図においてＭは雨水ます、Ｒは道路面、Ｐは舗道面である。雨水ますＭは本体１００と該本体１００の上縁枠体１００ａに載置される蓋体１０２とからなり、該本体１００下部から道路下の下水道本管に連通する取付け管１０４が配される。蓋体１０２には集水孔１０２ａが開設される。
本臭気防止装置Ｓは、その第１箱体部Ｓａの天板部１の縁部を雨水ますＭの本体１００の上縁枠体１００ａに載置し、第２箱体部Ｓｂを雨水ますＭの内部空間に配し、蓋体１０２を天板部１上に載置する。天板部１は薄板をなすので、蓋体１０２の設置に何らの影響を与えない。
【００２７】
また、本臭気防止装置Ｓの設置において、図１１に示すように、雨水ますＭの上縁枠体１００ａが本体１００より偏心して設置されている（図例では後方にずれている。）場合、本体１００の後方部との衝接、更には本体１００の上部開口面積が縮小し、換言すれば、臭気防止装置Ｓを設置する余裕空間が狭小となる、等の不具合が生じる。
本臭気防止装置Ｓにおいては、第１箱体部Ｓａに対して第２箱体部Ｓｂを前方へ移動させ、固定テープ７を適宜長（Ｌ、Ａと同長）に切断し、その開口７ａを第２の開口Ｉに合致させ、第２箱体部Ｓｂのフランジ板３を含めて第１箱体部Ｓａの底板１３上に布設し、接着固定する。これにより、本臭気防止装置Ｓの全体が雨水ますＭの本体１００の後部との衝接を回避し、また、第２箱体部Ｓｂの前方への移動により、雨水ますＭの本体１００の開口の中央に位置する。
【００２８】
（本臭気防止装置Ｓの作用）
取付け管１０４から発生する臭気は、本臭気防止装置Ｓにおける取付け式開閉弁４により閉塞され、地上へは逸出しない。
降雨において、雨水は蓋体１０２の集水孔１０２ａより流入し、本臭気防止装置Ｓの集水口１ａより集水箱部２内に流れ込み、かつ、排水筒部５を介して排水口Ｊに至る。この流水圧は排水口Ｊにおける取付け式開閉弁４の開閉弁本体２２を開き、雨水は雨水ますＭから取付け管１０４を介して下水道本管へ流れ出る。
本臭気防止装置Ｓの設置操作において、雨水ますＭの設置の状況に不具合（例えば、前記した図１１の状況）があるとしても、本臭気防止装置Ｓの全体が雨水ますＭの本体１００の後部との衝接が回避され、また、第２箱体部Ｓｂの前方への移動により、雨水ますＭの本体１００の開口の中央に位置でき、降雨時の集水及び排水が阻害されることなく、円滑になされる。
この設置操作において、第２箱体部Ｓｂの位置決めは容易になされ、かつ、第１箱体部Ｓａの底部の水密も保持され、加えて、無理な押込み操作を回避できることから本臭気防止装置Ｓのどの部分も雨水ますＭから破損を受けることも勿論ない。
【００２９】
（本臭気防止装置Ｓの効果）
雨水ますＭの設置の状況に不具合がある場合、従来の臭気防止装置によっては無理な押込み等の設置操作が強いられ、当該臭気防止装置に破損を与えることがしばしばである。
これに対し、本実施形態の下水道用臭気防止装置Ｓによれば、第１箱体部Ｓａに対し第２箱体部Ｓｂを前方または後方へ移動することにより、第１箱体部Ｓａと第２箱体部Ｓｂとの位置調整が容易になされ、雨水ますＭの設置の状況の如何に係わらず、雨水ますＭとの衝接が回避され、無理な押込み操作を回避できることから本臭気防止装置Ｓのどの部分も雨水ますＭから破損を受けることもなく、かつは降雨時の集水及び排水の機能が阻害されることなく、円滑になされる。
更には、設置操作において、第２箱体部Ｓｂの位置決めは容易になされ、その固定は固定テープ７によって簡単になされ、施工効率が向上する。かつ、第１箱体部Ｓａの底部は固定テープ７により高い水密性を発揮する。
【００３０】
（他の実施態様１）
図１２に本臭気防止装置Ｓにおける第１箱体部Ｓａと第２箱体部Ｓｂとの位置調整機構の他の態様を示す。図１２は本臭気防止装置Ｓの第１箱体部Ｓａの底部のみを示す。図において、Ｘは本臭気防止装置Ｓの前後方向の座標軸であり、Ｙはその幅方向の座標軸である。
図１２に示す臭気防止装置Ｓにおいては、第１箱体部Ｓａの底部において、その底板１３に載置される第２箱体部Ｓｂのフランジ板３が前後方向（Ｘ方向）と幅方向（Ｙ方向）との全平面方向に移動可能とされたものである。
当該態様において、これらのフランジ板３及び底板１３上に固定テープ７が接着敷設されることは先の態様に準じるが、該固定テープ７と同質であるが幅の細い固定テープを用い、フランジ板３と底板１３とに跨って当該幅狭の固定テープが接着敷設される態様を採ることができる。
もっと詳しくは、前後方向においては、長さＡ，Ｂ，Ｃ，Ｄは、それぞれ前記した底板１３の前後長、第１の開口Ｈの前後長、フランジ板３の前後長、第２の開口Ｉの前後長であって、既述したとおりの関係を有するものである。そして、当該関係により、ｘ３（（Ｂ−Ｄ）/ ２）の前後移動調整が可能である。この移動幅において、ｘ１（（Ａ−Ｃ）/ ２）又はｘ２（（Ｃ−Ｂ）/ ２）＞ｘ３であるので、フランジ板３は第１の開口Ｈとの間にすき間を生じない。
また、幅方向においては、前後方向の関係に順じ、ｙ３（ｘ３に準じる）の幅移動が可能である。ｙ１及びｙ２はそれぞれｘ１及びｘ２に準じ、その移動において第１の開口Ｈとの間にすき間を生じさせない。
当該態様によれば、雨水ますへの取付けにおいて、位置調整が更に自在となり、雨水ますの中央部に取り付けることができ、かつ、無理な押込みによる臭気防止装置の破損も回避することができる。
【００３１】
（他の実施態様２）
図１３に本臭気防止装置Ｓにおけるフランジ固定手段の他の態様のボルト・ナット８を示す。
本態様では、該ボルト・ナット８に関連して次の位置調整手段が採られる。
第１箱体部Ｓａには、その底板１３の側部（棚部）の一定位置（通常は該棚部の中央部）に小孔のボルト挿通孔３３が開設される。第２箱体部Ｓｂには、前記ボルト挿通孔３３に対応してフランジ板3 の側部に前後方向に延びる長溝３４が開設される。
両者Ｓａ，Ｓｂの定位置状態ではボルト挿通孔３３は長溝３４の中央部に位置する。
ボルト・ナット８はボルト３５とナット３６とからなり、ボルト３５はフランジ板3 側から差し込まれ、底板１３の下方からナット３６が螺合され、該ナット３６の締込みによりフランジ板３の固定がなされる。３７はワッシャーである。
本態様において、長溝３４の長さだけフランジ板３の移動、ひいては第２箱体部Ｓｂの前後移動の調整がなされる。
図は１例示であり、本ボルト・ナット８において、ボルト挿通孔３３、長溝３４は他の位置に設けられ得るものであり、対称、非対称の配置を問わない。要は、フランジ板３のＸ方向への移動調整及びその固定がなされればよい。
【００３２】
（他の実施態様３）
図１４、図１５にボルト・ナット態様による、先の実施態様１と同様の全平面方向の移動調整可能な態様を示す。
本態様のフランジ固定手段としてのボルト・ナット８Ａは、第１箱体部Ｓａの底板１３にＹ方向（幅方向）の長溝３９が開設され、第２箱体部Ｓｂのフランジ板３にＸ方向（前後方向）の長溝４０が開設され、これら３９，４０に本ボルト・ナット８Ａのボルト４１が挿通され、ナット４２が螺合され、該ナット４２の締込みによりフランジ板３の固定がなされる。４３はワッシャーである。
本態様において、長溝３９，４０の長さだけフランジ板３の移動、ひいては第２箱体部Ｓｂの前後及び幅方向の全平面方向の移動の調整がなされる。
図は１例示であり、本ボルト・ナット８Ａにおいて、長溝３９，４０は他の位置に設けられ得るものであり、対称、非対称の配置を問わない。要は、フランジ板３のＸ，Ｙ方向への移動調整及びその固定がなされればよい。
【００３３】
（他の形態）
図１６〜図１９において、他の態様の取付け式開閉弁４Ａを使用した臭気防止装置Ｓ１を示す。
本取付け式開閉弁４Ａは上述した第１箱体部Ｓａと第２箱体部Ｓｂとからなる臭気防止装置Ｓに適用できることは勿論である。
この臭気防止装置Ｓ１は第１箱体部Ｓａと第２箱体部Ｓｂとが一体となった従来の態様の排水箱部を有する。図において、先の臭気防止装置Ｓと同等の部材については、同一の符号が付されており、同等の機能を果たす。すなわち、１は天板部、５は排水箱部、１６は前面板、１６ａは第１取付け孔、１８は弁座、２０ａは第２取付け孔、２３は固定具（ボルト・ナット）、２７はピン、Ｊは排水口である。
本形態において特徴とする取付け式開閉弁４Ａは、その臭気防止装置Ｓ１の前面板１６に取り付けられ、該前面板１６の排出口Ｊを開閉する。すなわち、該取付け式開閉弁４Ａの帯板２０Ａは排水筒部５の前面板１６と同一幅の長さを有し、該帯板２０Ａの両端に第１ブラケット２１Ａが前方に突出して設けられる。開閉弁本体２２Ａは先の平板弁部２５及び折り曲げ部２５ａ，２５ｂを有するが、第２ブラケット２６Ａは、平板弁部２５の両側の上端において上方へ延設され，平板弁部２５の側縁折り曲げ部２５ａの上端に連接し、一体に固定される。第２ブラケット２２の相互の間隔は帯板２０Ａの両側の第１ブラケット２１Ａよりも若干大きくとられる。
第２ブラケット２６Ａには第１ブラケット２１Ａのピン孔２１ａに対応してピン孔２６ａが開設され、第１ブラケット２１Ａと第２ブラケット２６Ａとはワッシャー４５を介して互いに対接され、それらのピン孔２１ａ，２６ａにピン２７が枢着される。
固定具２３はボルト４７、ナット４８よりなり、該固定具２３は第１取付け孔１６ａ及び第２取付け孔２０ａに装着される。
【００３４】
（取付け・取外し・取替え）
本形態における取付け式開閉弁４Ａの取付け及び取外し操作は上述したとおりである。また、取替えについては、旧来の既設の臭気防止装置において、老朽化もしくは損傷した弾性弁体を取り替える場合、旧来の臭気防止装置の取付け孔位置は本臭気防止装置Ｓ1 と同位置にあり、旧位置をそのまま利用できるものであり、弾性弁体を取り外した後、上記の取付け操作により取付け式開閉弁４Ａの取付けがなされる。
既設の本臭気防止装置Ｓ１では取付け式開閉弁７の取替え操作は更に容易である。
【００３５】
（本臭気防止装置Ｓ１の設置）
図２０は本臭気防止装置Ｓ１の設置要領を示す。
本臭気防止装置Ｓ１は、その天板部１の縁部を雨水ますＭの本体１００の上縁枠体１００ａに載置し、排水筒部５を内部空間に配し、蓋体１０２を天板部１上に載置する。天板部１は薄板をなすので、蓋体１０２の設置に何らの影響を与えない。
【００３６】
(臭気防止装置Ｓ１の効果) 
本下水道用臭気防止装置Ｓ１によれば、取付け式開閉弁４Ａの開閉弁本体２２Ａの非変形性により従来のゴム弾性弁のようなめくれ、反りが生じず、長期間良好な防臭作用が持続できる。
また、本防止装置Ｓ１の組立てにおいて、取付け式開閉弁４Ａは帯板１０Ａを介して、固定具２３の装着のみで容易になされ、良好な作業性を発揮する。また、本固定具２３は取外しも容易であり、取替えに便利である。なお、リベッターの使用によれば取付け式開閉弁４Ａの固定は迅速になされる。
更に、取付け式開閉弁４Ａの開閉につき、その枢着部により開閉が円滑になされ、耐久性が向上する。
本実施形態での取付け式開閉弁４Ａはブラケット２２Ａ，２６Ａを介しての枢着となり、開閉弁本体２２Ａの回転中心が前方へ突出して偏心するので、開閉弁本体２２Ａの開き動作が迅速なものとなり、排水作用が向上する。
本取付け式開閉弁４Ａの装着は、固定具２３の使用とともに旧来のゴム弾性弁を有する臭気防止装置に適用され、旧来の臭気防止装置の再使用が実施される。
また、本臭気防止装置Ｓ１を設置した汚水ますは、建物内からの汚水流入管を有する外は図２０と実質的に同一構成をなし、その蓋部１０２は旧来の密閉型と異なり、集水孔１０２ａを有するものが使用され、場合によってはグレーチングの使用も可能である。そして、この汚水ますでは臭気の外部への逸出が防止されるとともに、降雨において集水がなされ、地域での集水機能の増大化に寄与し、画期的である。
【図面の簡単な説明】
【００３７】
【図１】本発明の下水道用臭気防止装置の一実施形態の平面図（図２、図３の１方向矢視図）。
【図２】その正面図（図１、図３の２方向矢視図）。
【図３】その側面図（図１、図２の３方向矢視図）。
【図４】本装置の一部である第２の箱体部Ｓｂの平面図。
【図５】図４の５方向矢視図。
【図６】取付け式開閉弁の配設詳細図。
【図７】図６の７−７線断面図。
【図８】固定テープの一実施態様図であって、(a）図はその平面図、(b）図は(a）図の８−８線断面図。
【図９】第１箱体部Ｓａと第２箱体部Ｓｂとの関係を示す模式断面図。
【図１０】本下水道用臭気防止装置の雨水ますへの設置要領を示す図。
【図１１】雨水ますの蓋体にずれがある場合の本下水道用臭気防止装置の設置要領図。
【図１２】本発明の下水道用臭気防止装置における第１箱体部Ｓａと第２箱体部Ｓｂとの関係を示す他の態様を示す平面図。
【図１３】フランジ固定手段の他の態様のボルト・ナットを示し、(a) 図はその一部平面図、(b) 図は(a) 図の１３−１３線拡大断面図。
【図１４】更に別なボルト・ナットの態様を示す全体平面図。
【図１５】図１４の詳細を示し、(a) 図は図１４の部分拡大図、 (b)図は(a) 図の１５−１５線断面図。
【図１６】本発明の下水道用臭気防止装置の取付け開閉弁の他の形態を示す側面図。
【図１７】その部分拡大図。
【図１８】図１４の１５方向矢視図。
【図１９】弁体の縦断面図。
【図２０】本下水道用臭気防止装置の雨水ますへの設置要領を示す図。
【符号の説明】
【００３８】
Ｍ…下水道管路用枡、Ｓ，Ｓ１…下水道管路用防臭装置、Ｓａ…第１箱体部、Ｓｂ…第２箱体部、１…天板部、１ａ…集水口、２…集水箱部、３…フランジ板、４，４Ａ…取付け式開閉弁、５…排水箱部、７…固定テープ（フランジ固定手段）、７ａ…開口、８，８Ａ…ボルト・ナット（フランジ固定手段）、Ｈ…第１の開口、Ｉ…第２の開口、Ｊ…排水口、１３…底板、１６…前面板、１６ａ…第１取付け孔、２０，２０Ａ…帯板、２０ａ…第２取付け孔、２１，２１Ａ…第１ブラケット、２２，２２Ａ…第２ブラケット、２３…固定具、２７…ピン
【図１】
0004846796.tif 000002
【図２】
0004846796.tif 000003
【図３】
0004846796.tif 000004
【図４】
0004846796.tif 000005
【図５】
0004846796.tif 000006
【図６】
0004846796.tif 000007
【図７】
0004846796.tif 000008
【図８】
0004846796.tif 000009
【図９】
0004846796.tif 000010
【図１０】
0004846796.tif 000011
【図１１】
0004846796.tif 000012
【図１２】
0004846796.tif 000013
【図１３】
0004846796.tif 000014
【図１４】
0004846796.tif 000015
【図１５】
0004846796.tif 000016
【図１６】
0004846796.tif 000017
【図１７】
0004846796.tif 000018
【図１８】
0004846796.tif 000019
【図１９】
0004846796.tif 000020
【図２０】
0004846796.tif 000021